(57)【要約】【課題】本発明は、ブラジャー等のカップ部を有する衣類において用いられるパッド、詳しくは、バストへのフィット性及びバストの造形性に優れるパッドを提供するものであり、特にワイヤーをカップ部周縁に配設してなるカップ部を有する衣類に装着して用いられるのに好適なパッドを提供する。【解決手段】カップ部を有する衣類のカップ部に装着して使用するパッドであって、着用時のバージスライン最下点近傍に切り欠き部、又は着用時のバージスライン最下点近傍の着用時内側となる部分に窪み部を有し、かつ、バージスライン最下点近傍を除くパッド両側は厚みを有することを特徴とするパッド。【選択図】　　　　　図１
2004137637.tif 000002
【特許請求の範囲】
【請求項１】
カップ部を有する衣類のカップ部に装着して使用するパッドであって、着用時のバージスライン最下点近傍に切り欠き部、又は着用時のバージスライン最下点近傍の着用時内側となる部分に窪み部を有し、かつ、バージスライン最下点近傍を除くパッド両側は厚みを有することを特徴とするパッド。
【請求項２】
前記窪み部におけるパッドの厚みが５ｍｍ以下であることを特徴とする請求項１記載のパッド。
【請求項３】
前記切り欠き部又は窪み部の着用時垂直方向の高さの最大値が１．５ｃｍ〜４．２ｃｍであることを特徴とする請求項１又は２記載のパッド。
【請求項４】
前記切り欠き部又は窪み部の着用時水平方向の長さの最大値が５．０ｃｍ〜１０．０ｃｍであることを特徴とする請求項１乃至３のいずれか一項に記載のパッド。
【請求項５】
前記切り欠き部又は窪み部の平面形状の頂部が、円弧状、略台形状又は略三角形状に突出してなることを特徴とする請求項１乃至４のいずれか一項に記載のパッド。
【請求項６】
請求項１乃至５のいずれか一項に記載のパッドをカップ部に装着してなることを特徴とするカップ部を有する衣類。
【請求項７】
カップ部周縁にワイヤーを配設してなることを特徴とする請求項６記載のカップ部を有する衣類。
【請求項８】
ブラジャー、水着、スポーツ用ブラジャー、レオタード、トップス、ブラスリップ、ブラキャミソール、ボディスーツから選ばれることを特徴とする請求項６又は７記載のカップ部を有する衣類。
【発明の詳細な説明】
【０００１】
【発明の属する技術分野】
本発明は、ブラジャー等のカップ部を有する衣類において用いられるパッド、詳しくは、バストへのフィット性及びバストの造形性に優れるパッドに関するものであり、特にカップ部周縁にワイヤーを配設してなるカップ部を有する衣類に装着して用いられるのに好適なパッドに関する。
【０００２】
【従来の技術】
ブラジャー等のカップ部を有する衣類には、バストの造形性を高めるための補整部材として、カップ部に取付ける、あるいはカップ部そのものを形成するパッドを用いることが多い。パッドとしては、一定の厚みを持つ弾性体を成形したものが多く用いられ、従来、バージス最下点近傍は、特に厚めにパッドが設けられていた。
【０００３】
このようなパッドは、着用者の身体に違和感無くフィットすることが望ましい。しかしながら、所定の厚みを有するパッドを装着したカップ部を有する衣類は、着用後、時間の経過に伴って下バストの押し出しによりカップ部がずり下がったり、運動等の身体の動作によりカップ部が横ずれしたりするなど、違和感が生じるようになる。
【０００４】
そこで、ブラジャーの土台部とカップ部との間に、バージスライン全体に渡って伸縮性を有する弾性ネット地を設けることにより、カップ部のみが身体の動作に応じて動き、土台部は身体への密着状態を保つことができ、身体の動作によるずれを軽減したブラジャーが記載されている（特許文献１参照）。
【０００５】
また、例えば、身体の曲面にフィットし、着用時にカップ部外観を優れたものとするために、パッド及びパッドを装着したカップの底辺部にしわが発生しないパッド及びカップとして、パッドのバージスライン最下点近傍の形状を、人体の胴部断面形状に略沿うように、上方に向けて凹状に湾曲させたパッド及びカップが開発されている（特許文献２参照）。
【０００６】
【特許文献１】
実公昭４８−３３５３３
【特許文献２】
特開２００１−１３１８０４
【０００７】
【発明が解決しようとする課題】
ところが、バージスライン全体に渡って弾性ネット地を設けると、下バスト全体が伸縮性を持つ弾性ネット地に保持されるため、補正機能及びバストの造形性を十分に発現できなかった。
【０００８】
また、人体の胴部断面形状に略沿うように、パッドのバージスライン最下点近傍の形状を、上方に向けて凹状に湾曲させたパッド及びカップは、カップ部周縁にワイヤーを配設してなるカップ部を有する衣類に装着する場合、ワイヤーが剛性を有するため、凹状の湾曲部が人体の胴部断面形状に沿わず、十分にその効果を発揮できないという問題があった。
【０００９】
そこで本発明は、上記問題点を解決し、バストのバージスライン最下点近傍部分に生み出された空間部に、バストの一部が入り込んで保持されることにより、バージスラインのカップ部へのフィット性が高まり、カップ部のずり下がりや横ずれを軽減でき、優れたバスト補整機能及び造形性を発揮しつつ、カップ部のずれによる着用時の違和感を軽減できる構造を有するパッド及びそれを用いたカップ部を有する衣類を提供することを目的する。特に、カップ部周縁にワイヤーを配設してなるカップ部を有する衣類に装着して用いられるのに好適なパッドを提供することを目的とする。
【００１０】
【課題を解決するための手段】
すなわち本発明は、カップ部を有する衣類のカップ部に装着して使用するパッドであって、着用時のバージスライン最下点近傍に切り欠き部、又は着用時のバージスライン最下点近傍の着用時内側となる部分に窪み部を有し、かつ、バージスライン最下点近傍を除くパッド両側は厚みを有することを特徴とするパッドである。
【００１１】
本発明のカップ部を構成するパッドは、着用時のバージスライン最下点近傍に切り欠き部を設けることによって、または、着用時のバージスライン最下点近傍の着用時内側となる部分に窪み部を設けることによって、本発明のパッドをカップ部に装着した際のカップ部最下点近傍、つまりバージスライン最下点近傍に空間部を生み出す。この空間部を有するカップ部を有する衣類を着用した際に、バストのバージスライン最下点近傍部分がこの空間部に入り込んで空間部で保持され、バージスラインのカップ部へのフィット性が高まり、カップ部のずり下がりや横ずれを軽減させることができる。
【００１２】
また、本発明のパッドは、カップ部周縁にワイヤーを配設してなるカップ部を有する衣類に装着した際に、人体へのフィット感が低減することがなく、カップ部周縁にワイヤーを配設してなるカップ部を有する衣類においても、ワイヤーの剛性に阻害されることなく、十分なフィット性を保つことができ、かつカップ部のずれ下がりや横ずれをさらに軽減させることができる。
【００１３】
さらに、本発明のカップ部を構成するパッドは、着用時のバージスライン最下点近傍に切り欠き部又は窪み部を設けているため、着用時に縦方向にバスト造形の稜線ができるとともに、バージスライン最下点近傍を除くパッド両側は厚みを有しているため、バスト両端から稜線方向にバストが押し出され、優れたバストの補正機能及び造形性が得られる。
【００１４】
【発明の実施の形態】
以下に図面を用いて、本発明をさらに詳細に説明する。
図１は、本発明の実施形態の一例であるパッド１の正面図である。
【００１５】
図１に示すように、本実施形態におけるパッド１は、着用時のバージスライン最下点近傍に切り欠き部Ｎを有している。パッド１に設けられた切り欠き部Ｎの大きさは、パッドを装着するカップのサイズによって異なるが、図６に示す垂直方向の高さｈの最大値が１．５ｃｍ〜４．２ｃｍであることが好ましい。また、同図の水平方向の長さｌの最大値は５．０ｃｍ〜１０．０ｃｍであることが好ましい。切り欠き部Ｎの形状は、図１に示した平面形状の頂部が円弧状に突出した形状の他に、例えば、図５に示す平面形状の頂部が略台形状又は略三角形状に突出した形状のものなどが挙げられる。
【００１６】
本実施形態のパッド１のサイズは、特に限定されない。また、パッド１の形状は、フルカップやハーフカップなど通常一般のカップと同様の形状であっても、カップ部の一部を構成するものであっても良く、バストアップが図れる形状であれば特に制限されるものではないが、バストを自然に美しく見せるため乳房及びカップ部にフィットする形状であることが好ましい。本実施形態のパッド１の厚みは特に限定されるものではないが、７ｍｍ〜２０ｍｍの範囲が好ましい。
【００１７】
パッド１を形成する素材としては、肌ざわりのよい素材であれば特に限定されるものではないが、ウレタンフォーム、不織布、ダブルニット、ダブルラッセル等を用いるのが好ましい。また、パッド内部にオイル、シリコン、空気などを封入したパッドを用いることもできる。
【００１８】
図３（ａ）及び図３（ｂ）は、本発明の実施形態の一例であるパッド１を装着したブラジャー２を着用した時の、図１のＡ−Ａ線に沿っての概略断面図及びパッド１を装着したブラジャー２の概略部分正面図である。パッド１を着用した際には、切り欠き部Ｎによって生じた空間に、バストのバージスラインＬの最下点近傍部分が入り込み、バスト下部がカップ部３及び土台４とがフィットする。これにより、下バストの押し出しや身体の動作によるカップ部の縦方向及び横方向へのずれを軽減でき、優れた身体へのフィット性及び着用感を得ることができる。
【００１９】
また、本発明のカップ部を構成するパッドは、着用時のバージスライン最下点近傍に切り欠き部Ｎを設けているため、図６に示すように、切り欠き部Ｎの形状が平面形状の頂部が円弧状に突出した形状である場合、着用時に縦方向、つまりバージスラインＬの最下点ｂと切り欠き部Ｎの頂点ｔとを結んだ矢印Ｕの方向に、バスト造形の稜線が形成される。そして、バージスラインＬの左右周縁部には、所定の厚みのあるパッドが設けられているため、両端から稜線方向に、つまり矢印Ｃで示される方向にバストが押し出され、バストの補正機能及び造形性に優れたパッドとなる。切り欠き部Ｎの形状が、平面形状の頂部が略三角形状に突出した形状である場合も、上述とほぼ同様のバスト造形稜線が形成され、同等のバストの補正効果及び造形効果を持つ。
【００２０】
また、切り欠き部Ｎの形状が、平面形状の頂部が略台形状に突出した形状である場合は、図７に示すように、着用時に縦方向、つまりバージスラインＬの最下点と切り欠き部Ｎの頂点とを結んだ矢印Ｕ’が略扇形となるような、バスト造形稜線が形成される。この場合も上述と同等のバストの補正効果及び造形効果が機体できる。
【００２１】
さらに、本発明のパッド１を装着したブラジャー２は、ブラジャー２着用時の外観上のバージスラインの高さをバスト本来のバージスラインの高さと変わらずに現出させることができる。つまり、従来のパッドを装着したブラジャーは、バスト本来のバージスラインの高さＸからパッドの厚み分だけ下に下がったＸ’が、ブラジャー着用時の外観上のバージスラインとなる（図４（ａ））。一方、本発明では、図４（ｂ）に示すとおり、バスト本来のバージスラインの高さとブラジャー着用時の外観上のバージスラインの高さとが一致し、バストをより高い位置に見せることが可能となる。
【００２２】
本発明のパッド１のカップ部への装着方法としては、図示しないが、例えばパッド１がカップ部の一部を構成する形状である場合、カップ部を有する衣類のカップ部に袋状のパッド収容部を設け、該パッド収容部に本発明のパッドを挿入する方法が、所望のパッドを使用でき、洗濯時の取り扱い性などに優れる。また、マジックテープ（登録商標）等による装着も同様に、所望のパッドを使用でき、洗濯時の取り扱い性などに優れる。また、カップと同様の形状のパッドの場合、パッド外周やパッドの下辺部のみをカップ部に縫い付ける装着方法等が可能である。
【００２３】
次に、本発明の別実施形態の一例であるパッド１’について説明する。
図２は、本発明の別実施形態の一例であるパッド１’の正面図及びそのＡ’−Ａ’線に沿っての概略断面図である。図２に示されるように、本実施形態におけるパッド１’は、着用時のバージスライン最下点近傍の着用時内側となる部分に、窪み部Ｄを有する。着用時のバージスライン最下点近傍に十分な空間を生じさせるために、窪み部Ｄにおけるパッドの厚みを５ｍｍ以下とすることが好ましく、これによって、前述のパッド１と同様に、バストのバージスライン最下点近傍部分がこの空間部に入り込んで空間部で保持され、バージスラインのカップ部へのフィット性が高まり、カップ部のずり下がりや横ずれを軽減させることができる。また、バストの補正機能及び造形性についても、前述のパッド１と同様に優れた効果を得ることができ、外観上のバージスラインとバスト本来のバージスラインの高さとを一致させることができる点においても、前述のパッド１と同様の効果がある。
【００２４】
パッド１’に設けられた窪み部Ｄの大きさは、前述の切り欠き部Ｎと同様に、装着するカップのサイズによって異なるが、垂直方向の高さｈの最大値が１．５ｃｍ〜４．２ｃｍであることが好ましい。水平方向の長さｌの最大値は５．０ｃｍ〜１０．０ｃｍであることが好ましい。また、窪み部Ｄの形状は、図２に示した平面形状の頂部が円弧状に突出したのものの他に、例えば、平面形状の頂部が略台形状又は略三角形状に突出した形状のものが挙げられる（図示せず）。
【００２５】
本発明において、カップ布やストラップ部、繋止部などの本発明のパッド以外の部分の構成は特に限定されず、その素材、形状、製造方法等は本発明の作用を阻害しない範囲で通常一般のものが使用できる。
【００２６】
具体的に、本発明のパッドを使用できるカップ部を有する衣類としては、ブラジャー、水着、スポーツ用ブラジャー、レオタード、トップス、ブラスリップ、ブラキャミソール、ボディスーツ等が挙げられ、これらの衣類は、特にカップ部周縁にワイヤーを配設してなるものが好ましい。
【００２７】
【発明の効果】
本発明のカップ部に装着して使用するパッドは、着用時のバージスライン最下点近傍に切り欠き部を有するため、又は着用時のバージスライン最下点近傍の着用時内側となる部分に窪み部を有するため、本発明のパッドをカップ部に装着した際のカップ部最下点近傍、つまりバージスライン最下点近傍に空間部が生じ、この空間部にバストのバージスライン最下点近傍部分が入り込んで保持され、バージスラインのカップ部へのフィット性が高まり、カップ部のずり下がりや横ずれを軽減させることができる。
【００２８】
また、本発明のパッドは、上述の構成により、カップ部周縁にワイヤーを配設してなるカップ部を有する衣類に装着した際にも、人体へのフィット感が低減することがなく、カップ部周縁にワイヤーを配設してなるカップ部を有する衣類においても、ワイヤーの剛性に阻害されることなく、十分なフィット性を保つことができ、かつ、カップ部のずれ下がりや横ずれをさらに軽減させることができる。
【００２９】
また、本発明のパッドは、上述のように着用時のバージスライン最下点近傍に切り欠き部又は窪み部を設けているため、着用時に縦方向にバスト造形の稜線ができるとともに、バージスライン最下点近傍を除くパッド両側は厚みを有しているため、バスト両端から稜線方向にバストが押し出され、優れたバストの補正機能及び造形性が得られる。
【００３０】
さらに、本発明のパッドを装着したカップ部を有する衣類は、着用時にバスト本来のバージスラインの高さとブラジャー着用時の外観上のバージスラインの高さとが一致し、バストをより高い位置に見せることが可能となる。
【図面の簡単な説明】
【図１】図１（ａ）及び図１（ｂ）は、本発明の実施形態の一例であるパッドの正面図である。
【図２】図２（ａ）は、本発明の別実施形態の一例であるパッドの正面図であり、図２（ｂ）は、図２（ａ）のＢ−Ｂ線に沿っての概略断面図である。
【図３】図３（ａ）は、本発明の実施形態の一例であるパッドを装着したブラジャー着用時の図１のＡ−Ａ線に沿っての概略断面図であり、図３（ｂ）は、パッドを装着したブラジャーの概略部分正面図である。
【図４】図４（ａ）は、従来のパッドを装着してなるブラジャーの着用時の概略断面図であり、図４（ｂ）は、本発明のパッドを装着してなるブラジャーの着用時の概略断面図である。
【図５】図５（ａ）及び図５（ｂ）は、本発明のパッドにおける切り欠き部の平面形状の一例を示す図である。
【図６】図６は、本発明の実施形態の一例であるパッドの正面図である。
【図７】図７は、本発明の実施形態の一例であるパッドの正面図である。
【符号の説明】
１、１’　パッド
２　ブラジャー
３　カップ部
４　土台
５　ワイヤー
Ｎ　切り欠き部
Ｄ　窪み部
Ｌ　バージスライン
【図１】
2004137637.tif 000003
【図２】
2004137637.tif 000004
【図３】
2004137637.tif 000005
【図４】
2004137637.tif 000006
【図５】
2004137637.tif 000007
【図６】
2004137637.tif 000008
【図７】
2004137637.tif 000009